(57)【特許請求の範囲】
【請求項１】
コイン（Ｃ）をバラ積み状態で収納するためのタンク手段（１７）と、
前記タンク手段（１７）の内底に回転可能に配置されて周辺部に複数個のコイン落下用の貫通孔（５Ｈ）をもつディスク手段（５）と、
前記貫通孔（５Ｈ）に落下したコインがスライドするベース板（１５）と、
概略歯車形に形成され、前記ディスク手段（５）の下面側において当該ディスク手段（５）と同心に回動可能に取り付けられ、前記ベース板（１５）上のコインを送り出す各歯部（７Ｔ）が前記貫通孔（５Ｈ）に対し進退可能であって、その歯部（７Ｔ）の前記貫通孔（５Ｈ）への進退度合によって、前記貫通孔（５Ｈ）をコインサイズに応じた調整孔（１）に形成し得るようにした調整手段（７）と、
前記ディスク手段（５）の上面に取り付けられた、前記コインを前記ディスク手段（５）の貫通孔（５Ｈ）にガイドするための所定の厚みを有するヒトデ形状のリング体であって、かつ前記ヒトデ形の腕は、前記貫通孔（５Ｈ）の間に位置するガイド手段（３）と、を備えていることを特徴とするコイン払い出し装置。
【請求項２】
前記請求項１の記載において、前記ガイド手段（３）のコインと接触する面がスロープ（３Ｓ）に形成されていることを特徴としたコイン払い出し装置。
【発明の詳細な説明】
【０００１】
【発明の属する技術分野】
本発明は小さな円板形のコインを複数個貯留して当該コインを払い出すためのコイン払い出し装置に関する。
とくに本発明はコインをバラ積み状態に収納して当該コインを一個ずつ高速で放出するための高速払い出し装置に関する。
本発明は更にはコインの種類に応じて即ちコインサイズの大小に応じて変更できるコイン払い出し装置に関する。
なお本明細書の用語「コイン」には通貨である硬貨が含まれることは勿論である。また本明細書の用語「コイン」にはゲーム用のメダルやトークンなどの小形円板体が含まれることは勿論である。
【０００２】
【従来の技術】
従来からコインを払い出すための装置としては種々のものが知られている。
たとえば本件出願人による特願平２−１５２８５２号にはコイン払い出し装置が開示されている。
なお特願平２−１５２８５２号は特公平６−４４３０５号として公告されている。また特願平２−１５２８５２号は米国の特許５，１２２，０９４号になっている。この開示されたコイン払い出し装置が図４に概略的に示されている。
図４に基づいて当該装置の動作を此処で概略的に説明する。
当該コイン払い出し装置内の電気モータ（図示略）が駆動されると中央の回転軸１２が回動される。
【０００３】
回転軸１２が回動されると深い皿形状であるコイン送りのディスク２がほぼ起立状態で時計方向に回転される。
なお時計方向に回転されるコイン送りディスク２は大きな概略鍋形のタンク１の内底近くで回転される。
このディスク２の回転によってドラム形の当該ディスク２内のコインは攪拌作用を受ける。
具体的には当該ディスク２の周壁４の内側に形成されている突起６などによって撹拌作用を受ける。
かくしてディスク２内のコインは当該ディスク２の底に開口されているコインの受け孔５内に入り込む。
【０００４】
この受け孔５内に入り込んだ一番下のコインはディスク２によって支持板１１の表面をスライド移動される。
スライド移動された最下位のコインはコインの出口２３に強制的に送り出されることになる。
言い換えると最下位のコインはディスク２の下面に形成された細長い送り爪（図示略）によって移動される。
移動される最下位のコインは案内板１５とフランジ周壁２２とによってガイドされ出口２３に送り出される。
なお案内板１５は大きな正方形の支持板１１の表面中央にほぼ卵形に形成されている。
【０００５】
またフランジ周壁２２はタンク１を支持板１１に取り付けるためにリング形に形成されている。
出口２３に送り出されたコインは当該出口２３から払い出される。
具体的には固定ローラ２４とスプリング（図示略）をもつ可動ローラ２６とによってコインは出口２３から放出される。
【発明が解決しようとする課題】
上述したように従来のコイン払い出し装置は同一種類のコインを送り出すための装置であった。
したがって従来のコイン払い出し装置は他のサイズのコインには簡単に転用できないという問題点があった。
【０００６】
加えて従来のコイン払い出し装置は高速運転された場合にコインの払い出し効率が悪くなるという問題点があった。
言い換えると従来のコイン払い出し装置は高速運転されるとコインの拾い効率が悪くなるという問題点があった。
本発明の第一の目的は、払い出されるコインの種類が変更されても簡単にサイズ変更ができる装置の提供にある。
本発明の第二の目的は、高速運転されてもコインの払い出し効率が良好である装置の提供にある。
言い換えると本発明の主な目的は簡単な構成を付加することによって高速運転時のコイン拾い効率を向上することにある。
【０００７】
【課題を解決するための手段】
本発明は、コインをバラ積み状態で収納するためのタンク手段と、前記タンク手段の内底に回転可能に配置されて周辺部に複数個のコイン落下用の貫通孔をもつディスク手段と、前記貫通孔に落下したコインがスライドするベース板と、概略歯車形に形成され、前記ディスク手段の下面側において当該ディスク手段と同心に回動可能に取り付けられ、前記ベース板上のコインを送り出す各歯部が貫通孔に対し進退可能であって、その歯部の前記貫通孔への進退度合によって、前記貫通孔をコインサイズに応じた調整孔に形成し得るようにした調整手段と、前記ディスク手段の上面に取り付けられた、前記コインを前記ディスク手段の貫通孔にガイドするための所定の厚みを有するヒトデ形状のリング体であって、かつ前記ヒトデ形の腕は、前記貫通孔の間に位置するガイド手段と、を備えていることを特徴とするコイン払い出し装置である。
【０００８】
また本発明は、前記ガイド手段のコインと接触する面がスロープに形成されていることを特徴としたコイン払い出し装置である。
【発明の実施の形態】
以下に本発明を其の実施に基づいて添付の図面を参照しつつ説明する。
図１は本発明の一実施例であるコイン払い出し装置を概略的に示す正面からの断面端面図である。
図２は図１をサイドから見た概略的な拡大断面図である。
図３は図１の実施例を分解して示す概略的な斜面図である。
図１の下に示される符号１１はコイン払い出し装置の基台である。
【０００９】
この基台１１は矩形板からなり其の三辺が下方に屈曲されて三点支持の脚に形成されている。
基台１１の上面左右にはほぼ直角三角形の脚フレーム１２がそれぞれ起立して固定されている。
なお脚フレーム１２の一方には持ち運び用のハンドル１３が取り付けられている。そして一対の脚フレーム１２には大きな正方形のベース板１５が傾斜して取り付けられている。
なおベース板１５の適所には複数個の開孔が開設されている。
たとえばベース板１５の下方部に開設されている複数個の長孔１６は塵や埃などを落下させる（図３を参照）。
【００１０】
またベース板１５下縁部には大きなタンク１７を固定するための細長い固定板２Ｆが配設されている。
またベース板１５の上縁にはタンク１７をフックで保持するための細長い支え板２Ｓが配置されている。
なお支え板２Ｓは昇降スライド可能に且つ固定可能に配設されている。
またコイン収容用のタンク１７は大きな角鍋形の樹脂成形品からなっている。
そしてタンク１７の下部は円筒部１４に形成されていてベース板１５のほぼ中央に取り付けられている。
タンク１７の底部である円筒部１４の内サイドにはやや大きなディスク５が回転自在に配設されている。
【００１１】
なおディスク５は図３に示されるようにやや深い皿形に形成されている。
すなわちディスク５の周縁全体には起立壁５Ｗが形成されている。
またディスク５の周辺部全体には等間隔にコイン落し用の貫通孔５Ｈがそれぞれ形成されている。
当該ディスク５は中心の駆動軸６によって図１に示されるように時計方向に回転される。
なお段付きの駆動軸６は減速用のギア装置６Ｇを介在して電気モータ６Ｅよって回転される（図２を参照）。
ディスク５の上面にはヒトデ形状でリング形になるガイド体３が取り付けられている（図３を参照）。
【００１２】
ガイド体３は厚味を有しており回転方向の面はスロープ面３Ｓに形成されている。すなわち回転するときにコインと接触するガイド体３の面がスロープ面３Ｓに形成されている。
なお概略リング形のガイド体３は複数個の孔３Ｈを介在してネジ２によりディスク５に取り付けられている（図１を参照）。
さらにディスク５の下面には概略歯車形の調整板７が取り付けられている（図３を参照）。
なお調整板７は中央で駆動軸６の段部６Ｓに回転可能に外装されている（図２を参照）。
【００１３】
そして調整板７は複数個のネジ孔７Ｈを介在してネジ２によりディスク５に取り付けられている。
言い換えるとネジ２の先端部を先ずガイド体３の孔３Ｈ内にスライド自在に貫通する。
つぎに当該ネジ２の先端部をディスク５の細長孔５Ｓ内に移動自在に貫通する。この後に当該ネジ２の先端部を調整板７のネジ孔７Ｈ内に締め付けて全体を固定する。
すなわち複数個のネジ２によってガイド体３ならびにディスク５および調整板７が一体的に固着される。
【００１４】
したがって貫通孔５Ｈと調整板７の歯部７ＴとによってコインＣの大きさに応じた調整孔１が形成される（図１を参照）。
なお調整板７の細長い湾曲した各歯部７Ｔの先端部７Ｐは適宜に少し下方に屈曲されている。
先端部７ＰによってコインＣが確実に押し出されるようにするためである。
調整板７の下面中央にはやや小さな円板形のスペイサ２１が配置されている（図３を参照）。
スペイサ２１はコインＣの厚さに応じて適宜に取り替えられる。
なおスペイサ２１は複数枚であっても良いことは勿論である。
【００１５】
さらにスペイサ２１とベース板１５との間にはやや小さな長円形のスライド板２２が配置されている（図３を参照）。
スライド板２２はディスク５の回転をスムーズにするためのもので適宜に複数枚が使用される。
なおスライド板２２ならびにスペイサ２１および調整板７は駆動軸６の段部６Ｓに回転自在に外装されている（図２を参照）。
そしてディスク５は中央孔５Ｃを介在して駆動軸６に外装される。
なお中央孔５Ｃはディスク５が駆動軸６によって回転されるように一部直線に形成されている。
【００１６】
またヒトデ・リング形のガイド体３はディスク５の上面に取り付けられることは前に述べた。
すなわちネジ２によってガイド体３ならびにディスク５および調整板７は一体的に固定されている。
したがってリング形のガイド体３の中央には駆動軸６が位置することになる。
この駆動軸６にキャップ３１が被せられる。
そして当該キャップ３１を介在してボルト３２が駆動軸６に螺着固定される。
言い換えるとボルト３２を駆動軸６に螺着してキャップ３１をディスク５に押しつけて固定する。
【００１７】
また円筒部１４の下縁の一部が切り欠けられてコインの出口（図示略）が形成されている。
そして当該出口に連通するコインの放出路９がベース板１５に形成されている。
またコインの放出路９の近くのベース板１５にはコインのガイド板２３が配置されている。
したがってスペイサ２１の上面はガイド板２３の上面よりもやや高いことは勿論である。
なおガイド板２３は矩形の鉄板を平らなＬ形に屈曲したものである。
そしてガイド板２３の元端部はベース板１５の下面にボルト（図示略）を介在して移動自在に取り付けられている。
【００１８】
したがってガイド板２３の先端部は孔を介在してベース板１５の表面にやや傾斜して突出されている。
なお前記ボルトにはスプリング（図示略）が外装されている。
したがってガイド板２３は当該スプリングによってベース板１５の下面に押圧されている。
ガイド板２３はディスク５が正回転するときは（図１を参照）其の起立面でコインを放出路９の方向にガイドする。
そしてディスク５が逆回転するときは其の傾斜面とスプリングの作用でコインはガイド板２３を乗り越えることになる。
【００１９】
なお電気モータ６Ｅは取り付け板６Ｐならびににロッド６Ｒを介在してネジ（図示略）などで固定されている。
【実施例】
上述の本実施例はタンク１７内に同一種類のコインＣをバラ積み状態で収納して電気モータ６Ｅを駆動する。
電気モータ６Ｅが駆動されると図１に示されるようにディスク５が回転される。
ディスク５が回転されるとガイド体３によってコインＣが貫通孔５Ｈ内にガイドされることになる（図２を参照）。
言い換えるとディスク５が回転されるとガイド体３によって貫通孔５Ｈの位置には複数個のコインＣが常に重なる。
【００２０】
すなわち貫通孔５Ｈの位置には複数個のコインＣが常に貯留されるため後記するようにコイン払い出しは途切れない。
したがってコインが高速で払い出されても貫通孔５Ｈの位置にコインＣが複数個あるため途切れないことになる。
また本実施例ではガイド体３をヒトデ形としたが例えば風車形にしても良いことは勿論である。
具体的に貫通孔５Ｈの数が三個の場合にはＹ形のガイド体が使用され得ることは勿論である。
加えて貫通孔５Ｈごとに小さなリング形のガイド体を個々に取り付けても良いことは勿論である。
【００２１】
かくしてコインＣが歯部７Ｔによって形成された調整孔１よりも小さい場合にはベース板１５の上面に乗ることになる。
ベース板１５上面に乗ったコインＣは回転するディスク５に固定された調整板７の歯部７Ｔによってスライド移動されることになる。
したがって調整板７は言い換えるとコインＣのスクレーパである。
スライド移動されたコインＣはタンク１７の円筒部４によってガイドされる。
ガイドされたコインＣは円筒部４の切り欠き出口（図示略）から放出路９に送り出される。
なお調整孔１よりも大きなコインは放出路９に送り出されないことは勿論である。
【００２２】
すなわち所定サイズのコインの中に大きなコインが紛れ込んでいても当該装置から放出されることはない。
なお放出路９に送り出されるコインＣは計数用のローラ２５をスプリング（図示略）に抗して動かす。
この計数用のローラ２５の移動はセンサ（図示略）によって検出される。
ここで本実施例においてコインの大きさを変更する場合について述べる。
たとえば小さなコインにする場合には図１において調整板７の歯部７Ｔを反時計方向にやや移動する。
すなわち四個のネジ２を緩めて調整板７を反時計方向にやや回転し再びネジ２によってディスク５に固定する。
【００２３】
実施例ではディスク５が傾斜されているが水平にしても良いことは勿論である。
言い換えると本実施例はコインをほぼ起立状態で放出するタイプの装置である。
したがって本発明はコインを水平に放出するタイプの装置にも適用できることは勿論である。
また図面のディスク５は起立壁５Ｗを有しているが起立壁５Ｗは無くても良いことは勿論である。
さらにディスク５を厚手の円板にしても良いことは勿論である。
この場合、ガイド体３がディスク５に一体的に形成されることになる。
また貫通孔５Ｈは適用されるコインの最大サイズを考慮して決められることは勿論である。
【００２４】
また本実施例では調整板７を概略歯車形としたが円板の鋸歯形にしても良いことは勿論である。
たとえば貫通孔５Ｈの数が三個の場合は略三角形の調整板が使用され得ることは勿論である。
加えて各歯部７Ｔのみの調整板にして貫通孔５Ｈごとに個々に取り付けても良いことは勿論である。
【発明の効果】
以上のように本発明は簡単な構成の付加によって一台のコイン払い出し装置のみで種々のコインサイズに簡単に適用できる。
【００２５】
言い換えると同一種類のコインを一個ずつ送り出す装置が本発明によると他のサイズのコインに簡単に転用できることになる。
加えて本発明はコイン払い出し用ディスクの上面に複数個のコインを重ねるための簡単なガイド体を付加している。
すなわち本発明によるとコイン落下用の貫通孔の位置に複数個のコインが常に重なることになる。
したがって本発明によるとコインが高速で払い出されても貫通孔にコインが複数個あるため途切れないことになる。
【図面の簡単な説明】
【図１】図１は本発明の一実施例であるコイン払い出し装置を概略的に示す正面からの断面端面図である。
【図２】図２は図１をサイドから見た概略的な拡大断面図である。
【図３】図３は図１の実施例を分解して示す概略的な斜面図である。
【図４】図４は従来例を示す概略的な図面である。図４の（Ａ）は従来例の斜面図であり図４の（Ｂ）は其の従来例をサイドから見た断面図である。
【符号の説明】
Ｃ：コイン、
タンク手段・・・
１４：円筒部、
１７：タンク、
ディスク手段・・・
５：ディスク、
５Ｈ：貫通孔、
５Ｓ：細長孔、
調整手段・・・
７：調整板、
７Ｈ：孔、
７Ｔ：歯部、
ガイド手段・・・
３：ガイド体、
３Ｈ：孔、
３Ｓ：スロープ面。
【図１】
0004235743.tif 000002
【図２】
0004235743.tif 000003
【図３】
0004235743.tif 000004
【図４】
0004235743.tif 000005